(57)【要約】【課題】  原稿画像読取装置や操作部の操作性が良く誤操作等の発生を防止して安全で、原稿画像読取装置の使用位置への移動が迅速に容易に行われ低コストで小型の画像形成装置を提供する。【解決手段】  原稿画像を読み取る原稿画像読取装置１と、上記原稿画像読取装置１の下方に配置されて画像を形成する画像形成部２と、上記画像形成部２の筺体２ａ内に固定されて上記原稿画像読取装置１を複数の使用状態の使用位置に移動させる複数使用位置移動手段３とからなる。【選択図】  図１
2005215653.tif 000002
【特許請求の範囲】
【請求項１】
原稿画像を読み取って画像を形成する画像形成装置において、原稿画像を読み取る原稿画像読取装置と、上記原稿画像読取装置の下方に配置されて画像を形成する画像形成部と、上記画像形成部の筺体内に固定されて上記原稿画像読取装置を複数の使用状態の使用位置に移動させる複数使用位置移動手段と、を備えたことを特徴とする画像形成装置。
【請求項２】
請求項１に記載の画像形成装置において、原稿画像読取装置は、操作部と一体的に移動することを特徴とする画像形成装置。
【請求項３】
請求項２に記載の画像形成装置において、操作部を、原稿画像読取装置の操作側の手前に固定したことを特徴とする画像形成装置。
【請求項４】
請求項１、２又は３に記載の画像形成装置において、画像形成部と原稿画像読取装置との間に、胴内排紙部を配置したことを特徴とする画像形成装置。
【請求項５】
請求項１、２、３又は４に記載の画像形成装置において、画像形成部は、電子写真方法でトナー画像を形成することを特徴とする画像形成装置。
【請求項６】
請求項１、２、３、４又は５に記載の画像形成装置において、複数使用位置移動手段は、原稿画像読取装置を、立った姿勢での使用状態と、椅子に着席しての使用状態に夫々適した各位置に移動させることを特徴とする画像形成装置。
【請求項７】
請求項１、２、３、４、５又は６に記載の画像形成装置において、複数使用位置移動手段は、原稿画像読取装置を立った姿勢での使用状態と上記椅子に着席しての使用状態に夫々適した上下位置に移動させる自動昇降手段を備えることを特徴とする画像形成装置。
【請求項８】
請求項７に記載の画像形成装置において、自動昇降手段は、原稿画像読取装置を昇降する昇降スイッチを備えることを特徴とする画像形成装置。
【請求項９】
請求項８に記載の画像形成装置において、昇降スイッチは、原稿画像読取装置を上昇させる上昇スイッチを装置本体の側面に配置した構成を備えることを特徴とする画像形成装置。
【請求項１０】
請求項８又は９に記載の画像形成装置において、昇降スイッチは、原稿画像読取装置を下降させる下降スイッチを操作部の下面に配置した構成を備えることを特徴とする画像形成装置。
【請求項１１】
請求項９又は１０に記載の画像形成装置において、昇降スイッチは、上昇スイッチ、又は、下降スイッチの外周に誤操作を防止する誤操作防止リブを形成した構成を備えることを特徴とする画像形成装置。
【請求項１２】
請求項１、２、３、４、５又は６に記載の画像形成装置において、複数使用位置移動手段は、原稿画像読取装置を立った姿勢での使用状態に適した位置から、上記原稿画像読取装置の下部に入る上記椅子に着席しての使用状態に適した位置に、画像形成部と分離して上記原稿画像読取装置を上記原稿画像読取装置の手前に移動する前後移動手段からなることを特徴とする画像形成装置。
【請求項１３】
請求項１２に記載の画像形成装置において、前後移動手段は、アキュライドからなることを特徴とする画像形成装置。
【請求項１４】
請求項１、２、３、４、５又は６に記載の画像形成装置において、複数使用位置移動手段は、原稿画像読取装置を立った姿勢の使用状態に適した位置から、上記原稿画像読取装置の下部に入る上記椅子に着席しての使用状態に適した位置に、画像形成部と分離して上記原稿画像読取装置を上記原稿画像読取装置の手前斜め下方向に移動する前後昇降移動手段からなることを特徴とする画像形成装置。
【請求項１５】
請求項１４に記載の画像形成装置において、前後昇降移動手段は、リンクからなることを特徴とする画像形成装置。
【請求項１６】
請求項６、７、８、９、１０、１１、１２、１３、１４又は１５に記載の画像形成装置において、複数使用位置移動手段は、原稿画像読取装置を椅子に着席しての使用状態から移動して上記椅子に着席しない立った姿勢での使用状態の位置に戻して停止させる停止手段からなることを特徴とする画像形成装置。
【発明の詳細な説明】
【技術分野】
【０００１】
本発明は、画像形成装置に関し、詳しくは、原稿画像を読み取って転写材上に画像を形成する印刷装置や、電子写真方法でトナー画像を形成する複写機、ファクシミリ装置、プリンタ、あるいはこれ等の複合機等の画像形成装置に関する。
【背景技術】
【０００２】
従来、操作者が立った状態で操作することを前提として高さ設定がなされている通常のデジタル複写機等の画像形成装置を、車椅子等に着座したユーザーが操作する場合には、図１４に図示するように、画像形成装置の複写機１００の正面に位置しつつ、車椅子を横向きした状態で身体をねじりながら操作することが多くなる。
なぜならば、図１３に図示するように、画像形成装置の複写機１００の正面に相対して操作しようとすると、車椅子等の椅子１０１を使用するユーザーの手が操作部１０２や原稿載置台１０３に届かず操作性が著しく悪いからである。
しかし、図１４に示したような不自然な状態での操作は不便であり操作性が悪化するばかりでなく、疲労を招く。
又、デジタル複写機等の画像形成装置の設置面積を少なくする省スペース化のために、作像部の上に排紙部を設け、更に排紙部の上方に読取装置を備える構成の複写機が知られており、車椅子等を使用するユーザーがデジタル複写機等を使用するとき、装置正面に向かって操作することが出来るように読取装置が手前側に張り出して配置されていると、車椅子等を使用するユーザーは車椅子を横向きにして体をねじること無く操作することが出来るので操作性は向上する。
だが、車椅子等を使用しないユーザーが使用する場合には、操作部等が低い位置にある為に、前かがみ操作を行う必要があり、不便である。
【０００３】
そこで、この様なデジタル複写機等の画像形成装置では、車椅子等を使用しないユーザーと車椅子等を使用するユーザーの使い勝手も向上させるために、画像読取部が上下方向に調節可能にすることは公知である（特許文献１、特許文献２、特許文献３等を参照）。
又、この様な操作性を向上させるために、読取装置を支持する支持台を設け、この支持台をモータにより上下動させることも公知である（特許文献３を参照）。
然し、画像形成装置とは別に読取装置の支持台が必要なため、装置が大型化するだけでなく、読取装置の移動が困難であった。
画像形成装置の下部に蹴り込み分を形成することも公知である（特許文献４を参照）。
但し、この蹴り込み量を多く取れないので、画像形成装置の正面に向かって操作するには、操作性は悪かった。
他方、昇降装置を複写機の下部に配置して、車椅子等を使用するユーザーがコピー操作する際は、複写機本体を下降させて操作するようにして、又、保守する際は、上昇させて操作することも公知である（特許文献５、特許文献６、特許文献７、特許文献８、特許文献９、特許文献１０、特許文献１１、特許文献１２、特許文献１３、特許文献１４等を参照）。
然し、この昇降装置はコスト高となり、昇降時間にも手間取り、迅速に使えなかった。
従って、従来の画像形成装置においては、横向きや前かがみで操作を行うことになり操作性が著しく悪く、大型で、原稿画像読取装置を使用位置への移動が困難で、昇降装置もコスト高となり、昇降にも手間取り、迅速に使えない等と言う不具合が生じていた。
【特許文献１】特開平１１−１２２４０６号公報
【特許文献２】特開２００１−３２６７７０公報
【特許文献３】特開２００１−１６０８８３公報
【特許文献４】特開平６−１４８９６０号公報
【特許文献５】特開平６−１４８９６４号公報
【特許文献６】特開平７−１５７１４０号公報
【特許文献７】特開平７−１９１５７８号公報
【特許文献８】特開平７−３１９３６５号公報
【特許文献９】特開平７−３３４０４６号公報
【特許文献１０】特開平７−３３４０６４号公報
【特許文献１１】特開平８−１０６２３９号公報
【特許文献１２】特開平８−１０６２４０号公報
【特許文献１３】特開平９−１１０３９９号公報
【特許文献１４】特開２００２−１４２０５２公報
【発明の開示】
【発明が解決しようとする課題】
【０００４】
一つの画像形成装置を、立った状態で操作を行う人、車椅子利用者等、使用条件が異なる人が共用する場合には、横向きや前かがみで操作を行うことになり操作性が著しく悪くなった。その為に種々の対策を講じるとすれば、大型化したり、原稿画像読取装置を使用位置へ移動することが困難化したり、昇降装置もコスト高となり、昇降にも手間取り、迅速に使えない等と言う問題が発生していた。
そこで本発明の課題は、このような問題点を解決するものである。即ち、原稿画像読取装置や操作部の操作性が良く誤操作等の発生を防止して安全で、原稿画像読取装置の使用位置への移動が迅速に容易に行われ低コストで小型の画像形成装置を提供することを目的とする。
【課題を解決するための手段】
【０００５】
上記目的を達成するために、請求項１に記載の本発明は、原稿画像を読み取って画像を形成する画像形成装置において、原稿画像を読み取る原稿画像読取装置と、上記原稿画像読取装置の下方に配置されて画像を形成する画像形成部と、上記画像形成部の筺体内に固定されて上記原稿画像読取装置を複数の使用状態の使用位置に移動させる複数使用位置移動手段とからなる画像形成装置であることを最も主要な特徴とする。
又は、請求項２に記載の本発明は、請求項１に記載の画像形成装置において、原稿画像読取装置は、操作部と一体的に移動する画像形成装置であることを主要な特徴とする。
又は、請求項３に記載の本発明は、請求項２に記載の画像形成装置において、操作部は、原稿画像読取装置の操作側の手前に配置して固定した画像形成装置であることを主要な特徴とする。
又は、請求項４に記載の本発明は、請求項１、２又は３に記載の画像形成装置において、画像形成部は、原稿画像読取装置との間に胴内排紙部を配置した画像形成装置であることを主要な特徴とする。
又は、請求項５に記載の本発明は、請求項１、２、３又は４に記載の画像形成装置において、画像形成部は、電子写真方法でトナー画像を形成する画像形成装置であることを主要な特徴とする。
又は、請求項６に記載の本発明は、請求項１、２、３、４又は５に記載の画像形成装置において、複数使用位置移動手段は、原稿画像読取装置を椅子に着席しない通常の使用状態と上記椅子に着席しての使用状態の位置に移動させる画像形成装置であることを主要な特徴とする。
又は、請求項７に記載の本発明は、請求項１、２、３、４、５又は６に記載の画像形成装置において、複数使用位置移動手段は、原稿画像読取装置を椅子に着席しない通常の使用状態と上記椅子に着席しての使用状態の上下位置に移動させる自動昇降手段からなる画像形成装置であることを主要な特徴とする。
又は、請求項８に記載の本発明は、請求項７に記載の画像形成装置において、自動昇降手段は、原稿画像読取装置を昇降する昇降スイッチからなる画像形成装置であることを主要な特徴とする。
又は、請求項９に記載の本発明は、請求項８に記載の画像形成装置において、昇降スイッチは、原稿画像読取装置を上昇させる上昇スイッチを装置本体の側面に配置した画像形成装置であることを主要な特徴とする。
又は、請求項１０に記載の本発明は、請求項８又は９に記載の画像形成装置において、昇降スイッチは、原稿画像読取装置を下降させる下降スイッチを操作部の下面に配置した画像形成装置であることを主要な特徴とする。
【０００６】
又は、請求項１１に記載の本発明は、請求項９又は１０に記載の画像形成装置において、昇降スイッチは、上昇スイッチ、又は、下降スイッチの外周に誤操作を防止する誤操作防止リブを形成した画像形成装置であることを主要な特徴とする。
又は、請求項１２に記載の本発明は、請求項１、２、３、４、５又は６に記載の画像形成装置において、複数使用位置移動手段は、原稿画像読取装置を椅子に着席しない通常の使用状態から上記原稿画像読取装置の下部に入る上記椅子に着席しての使用状態の位置に画像形成部と分離して上記原稿画像読取装置を上記原稿画像読取装置の手前に移動する前後移動手段からなる画像形成装置であることを主要な特徴とする。
又は、請求項１３に記載の本発明は、請求項１２に記載の画像形成装置において、前後移動手段は、アキュライドからなる画像形成装置であることを主要な特徴とする。
又は、請求項１４に記載の本発明は、請求項１、２、３、４、５又は６に記載の画像形成装置において、複数使用位置移動手段は、原稿画像読取装置を椅子に着席しない通常の使用状態から上記原稿画像読取装置の下部に入る上記椅子に着席しての使用状態の位置に画像形成部と分離して上記原稿画像読取装置を上記原稿画像読取装置の手前斜め下方向に移動する前後昇降移動手段からなる画像形成装置であることを主要な特徴とする。
又は、請求項１５に記載の本発明は、請求項１４に記載の画像形成装置において、前後昇降移動手段は、リンクからなる画像形成装置であることを主要な特徴とする。
又は、請求項１６に記載の本発明は、請求項６、７、８、９、１０、１１、１２、１３、１４又は１５に記載の画像形成装置において、複数使用位置移動手段は、原稿画像読取装置を椅子に着席しての使用状態から移動して上記椅子に着席しない通常の使用状態の位置に戻して停止させる停止手段からなる画像形成装置であることを主要な特徴とする。
【発明の効果】
【０００７】
本発明は、以下に説明するように構成されているので、請求項１の発明によれば、操作性が良く安全で、原稿画像読取装置の使用位置への移動が迅速に容易に行われ低コストで小型の画像形成装置を提供することが出来るようになった。
請求項２の発明によれば、操作性が良く安全で、操作部の操作性もが良く、原稿画像読取装置と操作部の使用位置への移動が迅速に容易に行われ低コストで小型の画像形成装置を提供することが出来るようになった。
請求項３の発明によれば、操作性が良く安全で、操作部の操作性もが、更に、良く、原稿画像読取装置と操作部の使用位置への移動が迅速に容易に行われ低コストで小型の画像形成装置を提供することが出来るようになった。
請求項４の発明によれば、操作性が良く安全で、原稿画像読取装置の使用位置への移動が迅速に容易に行われ低コストで、小型で省スペースの画像形成装置を提供することが出来るようになった。
請求項５の発明によれば、操作性が良く安全で、原稿画像読取装置の使用位置への移動が迅速に容易に行われ低コストで、小型で高速で高品質のトナー画像を形成する画像形成装置を提供することが出来るようになった。
請求項６の発明によれば、操作性が良く安全で、原稿画像読取装置を椅子に着席しない通常の使用状態と椅子に着席しての使用状態の各使用位置への移動が迅速に容易に行われ低コストで小型の画像形成装置を提供することが出来るようになった。
請求項７の発明によれば、操作性が良く安全で、原稿画像読取装置を椅子に着席しない通常の使用状態と椅子に着席しての使用状態の各上下の使用位置への移動が迅速に容易に行われ低コストで小型の画像形成装置を提供することが出来るようになった。
請求項８の発明によれば、操作性が良く安全で、原稿画像読取装置を椅子に着席しない通常の使用状態と椅子に着席しての使用状態の各上下の使用位置への移動が昇降スイッチにより自動的に迅速に容易に行われ低コストで小型の画像形成装置を提供することが出来るようになった。
請求項９の発明によれば、操作性が良く、不用意に上昇スイッチを押されることが無く誤操作の発生を防止して安全で、原稿画像読取装置を椅子に着席しない通常の使用状態と椅子に着席しての使用状態の各上下の使用位置への移動が昇降スイッチにより自動的に迅速に容易に行われ低コストで小型の画像形成装置を提供することが出来るようになった。
請求項１０の発明によれば、操作性が良く、不用意に下降スイッチを押されることが無く誤操作の発生を防止して安全で、原稿画像読取装置を椅子に着席しない通常の使用状態と椅子に着席しての使用状態の各上下の使用位置への移動が昇降スイッチにより自動的に迅速に容易に行われ低コストで小型の画像形成装置を提供することが出来るようになった。
【０００８】
請求項１１の発明によれば、操作性が良く、不用意に上昇スイッチや下降スイッチを押されることが無く誤操作の発生を確実に防止して、更に、安全で、原稿画像読取装置を椅子に着席しない通常の使用状態と椅子に着席しての使用状態の各上下の使用位置への移動が昇降スイッチにより自動的に迅速に容易に行われ低コストで小型の画像形成装置を提供することが出来るようになった。
請求項１２の発明によれば、操作性が良く安全で、原稿画像読取装置を椅子に着席しない通常の使用状態から原稿画像読取装置の下部に入る椅子に着席しての使用状態の位置に画像形成部と分離して原稿画像読取装置の手前の使用位置への移動が迅速に容易に行われ低コストで小型の画像形成装置を提供することが出来るようになった。
請求項１３の発明によれば、操作性が良く安全で、原稿画像読取装置を椅子に着席しない通常の使用状態から原稿画像読取装置の下部に入る椅子に着席しての使用状態の位置に画像形成部と分離して原稿画像読取装置の手前の使用位置への移動が簡単な構成で迅速に容易に行われ低コストで小型の画像形成装置を提供することが出来るようになった。
請求項１４の発明によれば、操作性が良く安全で、原稿画像読取装置を椅子に着席しない通常の使用状態から原稿画像読取装置の下部に入る椅子に着席しての使用状態の位置に画像形成部と分離して原稿画像読取装置の手前斜め下方向の使用位置への移動が迅速に容易に行われ低コストで小型の画像形成装置を提供することが出来るようになった。
請求項１５の発明によれば、操作性が良く安全で、原稿画像読取装置を椅子に着席しない通常の使用状態から原稿画像読取装置の下部に入る椅子に着席しての使用状態の位置に画像形成部と分離して原稿画像読取装置の手前斜め下方向の使用位置への移動が簡単な構成で迅速に容易に行われ低コストで小型の画像形成装置を提供することが出来るようになった。
請求項１６の発明によれば、原稿画像読取装置をもとの位置に戻す操作も良くなり、更に、操作性が向上して良く、安全で、原稿画像読取装置を椅子に着席しない通常の使用状態と椅子に着席しての使用状態の各使用位置への移動が迅速に容易に行われ低コストで小型の画像形成装置を提供することが出来るようになった。
【発明を実施するための最良の形態】
【０００９】
以下、本発明の実施の形態を、図面を参照して詳細に説明する。
図１と図２において、原稿画像を読み取って画像を形成する画像形成装置０は、原稿（Ｏ）の原稿画像を読み取る原稿画像読取装置１と、原稿画像読取装置１の下方に配置されて画像を形成する画像形成部２と、画像形成部２の筺体２ａ内に固定されて原稿画像読取装置１を複数の使用状態の使用位置に移動させる複数使用位置移動手段３と、給紙装置６と、を備え、操作性が良く安全で、原稿画像読取装置１の使用位置への移動が迅速に容易に行われ低コストで小型である。
上記画像形成装置０のデジタル複写装置は、原稿（Ｏ）の原稿画像を読み取る原稿画像読取装置１と、原稿画像読取装置１の下方に配置されて電子写真方法でトナー画像を形成する画像形成部２と、画像形成部２を載置すると共に給紙カセット６ａ、給紙カセット６ｂ、給紙カセット６ｃ、給紙カセット６ｄを備えた給紙装置６とを備え、画像形成部２と原稿画像読取装置１との間に、画像形成部２における電子写真方法でトナー画像が形成された被記録体（Ｐ）の記録用紙が排紙されてスタックされる胴内排紙部５を配置しているから、設置面積を少なくして省スペース化されて、高速で高品質のトナー画像を形成するようになっている。
原稿画像読取装置１は、装置本体１ａ、自動原稿搬送装置（ＡＤＦ）１ｂ、自動原稿搬送装置（ＡＤＦ）１ｂから送り出される原稿（Ｏ）をスタックする原稿排紙トレイ１ｃ等からなり、操作側の手前に一体的に移動する操作部４（図５）が配置して固定されて、操作部４の使用位置への移動が迅速に容易に行われ、操作部４の操作性も、更に、良くなっている。
複数使用位置移動手段３の自動昇降手段３ａは、昇降する昇降テーブル３ａ２上に原稿画像読取装置１の装置本体１ａを載置して、図示しない螺子等の固定手段により、上記昇降テーブル３ａ２上に装置本体１ａが固定されている。原稿画像読取装置１に設けた操作部４を図６に示した車椅子１０１に着席しないで立った姿勢で操作する通常の使用状態と、車椅子１０１に着席しての使用状態に夫々適した上下の各位置に移動して、立ったままの使用状態でも、車椅子等に着座した状態でも操作できるようになっているから、いずれの使用状態でも操作性が良くなっている。
自動原稿搬送装置（ＡＤＦ）１ｂは、図１の奥側端縁に設けたヒンジ１ｂ１を介して装置本体１ａに対して、図示の矢印Ａ方向に回動可能に支持されており、図１はその上記自動原稿搬送装置（ＡＤＦ）１ｂを開放した状態を示し、図２は上記自動原稿搬送装置（ＡＤＦ）１ｂを閉じた状態を示している。
【００１０】
原稿画像読取装置１における原稿（Ｏ）の原稿画像の読み取り動作と、画像形成部２における電子写真方法によるトナー画像の形成動作は、図２に示した状態で行われる。
図２に図示のように、自動原稿搬送装置（ＡＤＦ）１ｂの本体１ｂ２に固定支持された原稿台１ｂ３上には原稿（Ｏ）が載置され、図示していないプリントキーが押下されると、最上位の原稿（Ｏ）が本体１ｂ２に支持されたピックアップローラ１ｂ４の回転により、図示の矢印（Ｂ）方向へ送り出され、上記本体１ｂ２に支持された原稿搬送ベルト１ｂ５の回転により、上記装置本体１１ａに固定されたコンタクトガラス１ａ２上に給送され、ここで停止する。
ここで、上記ピックアップローラ１ｂ４や、上記原稿搬送ベルト１ｂ５等を駆動する図示しないモータ、クラッチ、及び、モータ、クラッチ等を制御する電装基板は、上記ピックアップローラ１ｂ４や、上記原稿搬送ベルト１ｂ５の背面に設けられている。
上記コンタクトガラス１ａ２上に載置された原稿（Ｏ）の原稿画像は、上記装置本体１ａ内の読み取りユニット１ａ３によって読み取られる。
上記読み取りユニット１ａ３は、上記コンタクトガラス１ａ２上の原稿を照明する光源１ａ３１と、原稿（Ｏ）の原稿画像を結像する光学系１ａ３２と、原稿（Ｏ）の原稿画像が結蔵されるＣＣＤ１ａ３３よりなる光電変換素子を有している。
原稿（Ｏ）の原稿画像の読み取り終了後、その原稿（Ｏ）は、上記原稿搬送ベルト１ｂ５の回転により図示の矢印（Ｃ）方向に搬送され、上記装置本体１ａに固定された上記排紙トレイ１ｃ上に排出される。
このようにして、原稿（Ｏ）が、１枚ずつ上記コンタクトガラス１ａ２上に給送され、その原稿（Ｏ）の原稿画像が上記読み取りユニット１ａ３によって読み取られるようになっている。
【００１１】
一方、電子写真方法によりトナー画像が形成される画像形成部２の内部には、像担持体２ｂのドラム形状の感光体ドラムが回動可能に支持されて配置されている。
感光体ドラム２ｂは、図２に図示の矢印（Ｄ）方向の反時計方向に回転駆動され、この時、帯電装置２ｃによって、感光体ドラム２ｂの表面が所定の電位に帯電される。
又、書き込みユニット２ｄからは、原稿画像読取装置１の読み取りユニット１ａ３により読み取られた画像情報に応じて光変調されたレーザー光（Ｌ）が出射し、そのレーザー光（Ｌ）が帯電された感光体ドラム２ｂの表面を露光し、これによって、感光体ドラム２ｂの表面に静電潜像が形成される。
感光体ドラム２ｂ表面に形成された静電潜像は、現像装置２ｅを通過するとき対向する転写装置２ｆによって、感光体ドラム２ｂと上記転写装置２ｆの間に給送された被記録体（Ｐ）の記録用紙に転写されて記録される。
トナー画像が被記録体（Ｐ）の記録用紙に転写後の感光体ドラム２ｂ表面は、クリーニング装置２ｇによって清掃されて、次工程の画像形成に備えられる。
画像形成部２の下部に給紙装置６が配置され、被記録体（Ｐ）の記録用紙を収容した複数のいずれかの上記給紙カセット６ａ、上記給紙カセット６ｂ、上記給紙カセット６ｃ、上記給紙カセット６ｄから図示の矢印（Ｅ）方向に送り出されて、その被記録体（Ｐ）の記録用紙の表面に、上述のように感光体ドラム２ｂ表面に形成されたトナー画像が転写される。
次に、被記録体（Ｐ）は図示の矢印（Ｆ）方向に画像形成部２内の定着装置２ｈを通過し、この時の熱と圧力の作用によって、被記録体（Ｐ）表面に転写されたトナー画像がその表面に定着される。
上記定着装置２ｈを通過した被記録体（Ｐ）は、排出ローラ対２ｉによって搬送され、図示の矢印（Ｇ）方向に、記録媒体排出空間２ｊに排出されて、上記胴内排紙部５にスタックされ収納される。
装置本体１ａは、複数使用位置移動手段３の上記自動昇降手段３ａの昇降する上記昇降テーブル３ａ２上に固定されており、装置本体１ａが載置された上記昇降テーブル３ａ２は、画像形成部２に取り付けられた図示しないモータにより、複数の使用状態の上昇位置、又は、下降位置に昇降可能に取り付けられている。
又、昇降スイッチ３ａ１の上昇用の上昇スイッチ３ａ１１は、図１に図示するように装置本体１ａの側面１ａ１に配置され、不用意に上記上昇スイッチ３ａ１１を押されることが無く、誤操作の発生を防止して安全性を確保することが出来るようになっている。
【００１２】
図３において、複数使用位置移動手段３の上記自動昇降手段３ａにおける上記昇降テーブル３ａ２に関わる背面の高さ調節機構は、画像形成部２の上記筺体２ａ内に取り付けて固定されたガイドレール３ａ３と上記昇降テーブル３ａ２に取り付けて固定されたガイドレール３ａ４を、それぞれ摺動自在に係合させた構成になっている。
画像形成部２の筺体２ａ内には、スクリュー３ａ５が固定部材３ａ６により固定されており、スクリュー３ａ５の下方にウォームギア３ａ７とウォームギア３ａ７と噛合するウォーム３ａ８とウォーム３ａ８を回転駆動させる正逆回転自在なモータ３ａ９が取り付けられている。
又、スクリュー３ａ５の上方には、上記スクリュー３ａ５と噛合し、摺動自在な摺動部材３ａ２１が、昇降テーブル３ａ２に固定されている。
従って、モータ３ａ９を回転駆動して停止する事により、スクリュー３ａ５が回転して、昇降テーブル３ａ２が昇降して停止する。
以上の事から、画像形成装置０は、装置本体１ａを載置して固定した昇降テーブル３ａ２を、画像形成部２の上記筺体２ａ内に一体的に構成したことにより、装置全体を小型化にすることが出来ると、共に、上記モータ３ａ９を制御の為の配線や回転駆動のための電源供給の配線が、画像形成部２の上記筺体２ａの外部に出ないため、原稿画像読取装置１の複数の使用状態の使用位置に移動する移動時の誤操作による配線の切断等を防止して、安全も確保することが出来る。
図４に示した例において、原稿画像読取装置１を下降する下降スイッチ３ａ１２は、操作部４の下面４ａに配置されている。
従って、上記画像形成装置０は、このことにより、図示しない車椅子１０１に着席しての使用状態の操作は、下降スイッチ３ａ１２の位置が認識しやすく、又、図１に図示するように、上昇スイッチ３ａ１１の位置が認識しにくいため、誤って、上記下降スイッチ３ａ１２と上記上昇スイッチ３ａ１１を押し間違える事が無く、且つ、操作性を改善すると、共に、操作部４の上記下面４ａに配置することにより、画像形成時に不用意に上記下降スイッチ３ａ１２に触ることが無いため、安全性を確保することが出来る。
又、図示しない車椅子１０１に着席しない通常の立っての使用状態の操作も、操作部４の上記下面４ａの上記下降スイッチ３ａ１２が認識し難いため、同様の安全性を確保することが出来る。
又、上記昇降スイッチ３ａ１の上記上昇スイッチ３ａ１１と上記下降スイッチ３ａ１２の外周には、誤操作防止リブ３ａ１３が設けられており、記録済みの被記録体（Ｐ）を上記胴内排紙部５より取り出す際に、不用意に上記昇降スイッチ３ａ１の上記上昇スイッチ３ａ１１と上記下降スイッチ３ａ１２に触ることが無いため、誤操作の発生を確実に防止して安全性を、更に、向上させることが出来る。
尚、装置本体１ａの内部や操作部４の内部に余裕がある場合は、上記誤操作防止リブ３ａ１３の高さ分、上記昇降スイッチ３ａ１の上記上昇スイッチ３ａ１１と上記下降スイッチ３ａ１２を落とし込むことにより、同様の効果をあげる事が出来る。
従って、車椅子１０１に着席しての使用状態で操作する操作者も、立ったままの通常の使用状態で操作する操作者にも、原稿画像読取装置１や操作部４の操作性が良く、誤操作等の発生を防止して安全で、原稿画像読取装置１の上下の使用位置への移動が迅速に容易に行われ低コストで小型の上記画像形成装置０を提供することが出来るようになった。
【００１３】
図５と図６は本発明の他の実施形態であり、同図において、上記画像形成装置０における複数使用位置移動手段３の前後移動手段３ｂは、原稿画像読取装置１と画像形成部２との間に配置した簡単な構成のアキュライド３ｂ１によって、原稿画像読取装置１を立った使用状態から原稿画像読取装置１の下部に入る車椅子１０１に着席しての使用状態の位置に画像形成部２と分離して原稿画像読取装置１を図示の矢印（Ｈ）方向の原稿画像読取装置１の手前に、手動で容易に移動して停止した後に、手動で容易に戻して停止することが出来るようになっている。
即ち、図６に図示するように、原稿画像読取装置１を図示の矢印（Ｈ）方向の原稿画像読取装置１の手前に移動することが出来た為に、車椅子等の上記椅子１０１に着席しての使用状態で操作する操作者が、上記画像形成装置０に向かって正面で使用しても、膝がラックの中に入り、体をねじる事も無く操作性が良く、操作が容易に出来る。
又、車椅子等の上記椅子１０１に着席しない通常の使用状態で操作する操作者が使用するときは、原稿画像読取装置１を手動で容易に戻して使用することが出来る。
このように、車椅子等の上記椅子１０１に着席しての使用状態で操作する操作者も車椅子等の上記椅子１０１に着席しない通常の使用状態で操作する操作者にも操作がしやすくなっている。
従って、車椅子等の上記椅子１０１に着席しての使用状態で操作する操作者も車椅子等の上記椅子１０１に着席しない通常の使用状態で操作する操作者にも、原稿画像読取装置１や操作部４の操作性が良く、誤操作等の発生を防止して安全で、原稿画像読取装置１の前後の使用位置への移動が迅速に容易に行われ低コストで小型の上記画像形成装置０を提供することが出来るようになった。
【００１４】
図７乃至図９において、上記画像形成装置０における複数使用位置移動手段３の前後昇降移動手段３ｃは、原稿画像読取装置１と画像形成部２との間に配置した簡単な構成のリンク３ｃ１によって、原稿画像読取装置１を車椅子１０１に着席しない通常の使用状態から原稿画像読取装置１の下部に入る車椅子１０１に着席しての使用状態の位置に画像形成部２と分離して原稿画像読取装置１を図示の矢印（Ｉ）方向の原稿画像読取装置１の手前と同時に斜め下方に、手動で容易に移動して停止した後に、手動で容易に戻して停止することが出来るようになっている。
即ち、図９に図示するように、原稿画像読取装置１を図示の矢印（Ｉ）方向の原稿画像読取装置１の手前と同時に斜め下方に移動することが出来る為に、車椅子１０１に着席しての使用状態で操作する操作者が、上記画像形成装置０に向かって正面で使用しても、膝がラックの中に入り、原稿画像読取装置１の高さが、図８に図示の高さ（Ｊ）の状態から図９に図示の高さ（Ｋ）の状態に下がることで（Ｊ＞Ｋ）、車椅子１０１に着席しての使用状態で操作する操作者の手、腕の位置が机上で作業する位置となり、体をねじる事も無く操作性が、更に、良くなり、操作が容易に出来る。
又、車椅子１０１に着席しない通常の使用状態で操作する操作者が使用するときは、原稿画像読取装置１を手動で容易に戻して使用することが出来る。
このように、車椅子１０１に着席しての使用状態で操作する操作者も立った使用状態で操作する操作者にも操作がしやすくなっている。
従って、車椅子１０１に着席しての使用状態で操作する操作者も車椅子１０１に着席しない通常の使用状態で操作する操作者にも、原稿画像読取装置１や操作部４の操作性が、更に、良く、誤操作等の発生を防止して安全で、原稿画像読取装置１の手前と同時に下方の使用位置への移動が迅速に容易に行われ低コストで小型の上記画像形成装置０を提供することが出来るようになった。
【００１５】
図１０乃至図１２において、上記画像形成装置０における複数使用位置移動手段３である上記前後昇降移動手段３ｃのリンク３ｃ１は、画像形成部２の後部に配置された停止手段３ｄの停止部材によって、原稿画像読取装置１を図示しない車椅子１０１に着席しての使用状態（図１２を参照）から、移動して上記椅子（１０１）に着席しない通常の使用状態（図１１を参照）の位置に戻して停止するようになっている。
即ち、画像形成部２の後部に上記停止手段３ｄの停止部材が配置されているから、車椅子１０１に着席しての使用状態の操作者が、原稿画像読取装置１を、図示の矢印（Ｌ）方向の図１２の状態から図１１の状態に戻すと、画像形成部２の後部に上記停止手段３ｄの停止部材に当たり、原稿画像読取装置１は所定位置に停止するから、車椅子１０１に着席しての使用状態の操作者が、原稿画像読取装置１や操作部４の操作、原稿画像読取装置１をもとの位置に戻す操作も良くなり、操作性は更に向上する。
従って、車椅子１０１に着席しての使用状態で操作する操作者も車椅子１０１に着席しない通常の使用状態で操作する操作者にも、原稿画像読取装置１や操作部４の操作性が更に良く、誤操作等の発生を防止して安全で、原稿画像読取装置１の手前と同時に下方の使用位置への移動と原稿画像読取装置１をもとの位置に戻す移動が迅速に容易に行われ低コストで小型の上記画像形成装置０を提供することが出来るようになった。
なお、本発明は電子写真式の画像形成装置のみならず、原稿画像を読み取って転写材上に画像形成する構成を備えた電子写真以外の印刷装置等に適用することができる。
【図面の簡単な説明】
【００１６】
【図１】本発明の実施の形態例を示す画像形成装置を説明する斜視図である。
【図２】本発明の実施の形態例を示す画像形成装置を説明する断面図である。
【図３】本発明の実施の形態例を示す画像形成装置の主要部を説明する説明図である。
【図４】本発明の実施の形態例を示す画像形成装置の他の主要部を説明する拡大説明図である。
【図５】本発明の他の実施の形態例を示す画像形成装置を説明する斜視図である。
【図６】本発明の他の実施の形態例を示す画像形成装置の主要部の状態を説明する説明図である。
【図７】本発明の他の実施の形態例を示す画像形成装置を説明する斜視図である。
【図８】本発明の他の実施の形態例を示す画像形成装置の主要部の状態を説明する説明図である。
【図９】本発明の他の実施の形態例を示す画像形成装置の主要部の他の状態を説明する説明図である。
【図１０】本発明の他の実施の形態例を示す画像形成装置を説明する斜視図である。
【図１１】本発明の他の実施の形態例を示す画像形成装置の主要部の状態を説明する説明図である。
【図１２】本発明の他の実施の形態例を示す画像形成装置の主要部の他の状態を説明する説明図である。
【図１３】従来の画像形成装置を説明する説明図である。
【図１４】従来の画像形成装置を説明する斜視図である。
【符号の説明】
【００１７】
０  画像形成装置
１  原稿画像読取装置、
１ａ  装置本体、
１ａ１  側面、
１ａ２  コンタクトガラス、
１ａ３  読み取りユニット、
１ａ３１  光源、
１ａ３２  光学系、
１ａ３３  ＣＣＤ、
１ｂ  自動原稿搬送装置（ＡＤＦ）、
１ｂ１  ヒンジ、
１ｂ２  本体、
１ｂ３  原稿台、
１ｂ４  ピックアップローラ、
１ｂ５  原稿搬送ベルト、
１ｃ  排紙トレイ
２  画像形成部、
２ａ  筺体、
２ｂ  像担持体、
２ｃ  帯電装置、
２ｄ  書き込みユニット、
２ｅ  現像装置、
２ｆ  転写装置、
２ｇ  クリーニング装置、
２ｈ  定着装置、
２ｉ  排出ローラ対、
２ｊ  記録媒体排出空間
３  複数使用位置移動手段、
３ａ  自動昇降手段、
３ａ１  昇降スイッチ、
３ａ１１  上昇スイッチ、
３ａ１２  下降スイッチ、
３ａ１３  誤操作防止リブ、
３ａ２  昇降テーブル、
３ａ２１  摺動部材、
３ａ３  ガイドレール、
３ａ４  ガイドレール、
３ａ５  スクリュー、
３ａ６  固定部材、
３ａ７  ウォームギア、
３ａ８  ウォーム、
３ａ９  モータ、
３ｂ  前後移動手段、
３ｂ１  アキュライド、
３ｃ  前後昇降移動手段、
３ｃ１  リンク、
３ｄ  停止手段
４  操作部、
４ａ  下面
５  胴内排紙部
６  給紙装置、
６ａ  給紙カセット、
６ｂ  給紙カセット、
６ｃ  給紙カセット、
６ｄ  給紙カセット
１００  複写機
１０１  椅子
１０２  操作部
１０３  原稿載置台
【図１】
2005215653.tif 000003
【図２】
2005215653.tif 000004
【図３】
2005215653.tif 000005
【図４】
2005215653.tif 000006
【図５】
2005215653.tif 000007
【図６】
2005215653.tif 000008
【図７】
2005215653.tif 000009
【図８】
2005215653.tif 000010
【図９】
2005215653.tif 000011
【図１０】
2005215653.tif 000012
【図１１】
2005215653.tif 000013
【図１２】
2005215653.tif 000014
【図１３】
2005215653.tif 000015
【図１４】
2005215653.tif 000016